(57)【要約】【課題】ＩＤの入力といった手間をかけることなしに上位制御装置のソフトウェアが不正使用されることを防止する。【解決手段】上位制御装置３０は、拡張スロットを有する汎用のコンピュータ装置３１と、拡張スロットに接続される通信用拡張カード３２と、ＬＩＵ６との間で操作データ及び連動制御データの送受信を行って複数の多重伝送系Ｎ１〜Ｎ３の負荷５を連動制御する制御処理をコンピュータ装置３１に行わせる制御用ソフトウェアとで構成される。制御用ソフトウェアを起動する際、上位制御装置３０で使用する通信用拡張カード３２のＩＤコードと制御用ソフトウェアが有するＩＤコードとを照合し、両者が一致しない限りは制御用ソフトウェアが正常に起動しないため、同一の記録媒体から不正にコピーされた制御用ソフトウェアが複数台のコンピュータ装置にインストールされて不正に使用されることを防止できる。【選択図】        図１
2006140837.tif 000002
【特許請求の範囲】
【請求項１】
中央制御装置と、複数の監視用端末器及び制御用端末器とを一対の伝送線を介して接続し、中央制御装置から多重伝送信号を伝送して端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして中央制御装置へ返信させ、監視用端末器に対しては接続された操作スイッチの操作データを多重伝送信号に設けた返信待機期間中に監視データとして中央制御装置へ返信させる多重伝送系を複数構築した遠隔監視制御システムにおいて、
伝送線を介して多重伝送信号で通信を行う多重伝送通信部と、多重伝送系とは異なるプロトコルで通信を行うネットワーク通信部とを備えたローカル制御装置を各多重伝送系に設けて、各多重伝送系のローカル制御装置を通信線を介して接続してネットワークを構築するとともに、通信線を介してローカル制御装置との間で通信を行う通信回路部を備えた上位制御装置を通信線に接続し、
前記ローカル制御装置に、多重伝送通信部を用いて当該ローカル制御装置の属する多重伝送系の監視用端末器から中央制御装置へ送信される操作データを受信すると、受信した操作データをネットワーク通信部から上位制御装置へ送信させるとともに、ネットワーク通信部を用いて上位制御装置から送信された連動制御データを受信すると、受信した連動制御データを多重伝送信号に設けた返信待機期間中に監視データとして中央制御装置へ返信させる通信制御部を設けてなり、
拡張スロットを有する汎用のコンピュータ装置と、前記通信回路部を有して拡張スロットに接続される通信用拡張カードと、コンピュータ装置において実行され、通信用拡張カードを介してローカル制御装置との間で操作データ及び連動制御データの送受信を行って複数の多重伝送系の負荷を連動制御する制御処理をコンピュータ装置に行わせるソフトウェアとで前記上位制御装置を構成し、当該ソフトウェアが、コンピュータ装置における実行過程において、通信用拡張カードが有する固有の識別記号と予めプログラムに書き込まれている識別記号とを照合し、両者が一致した場合にのみ起動処理を継続するとともに両者が一致しない場合には起動処理を中断する不正使用防止機能を有することを特徴とする遠隔監視制御システム。
【請求項２】
前記ソフトウェアは、コンピュータ装置を構成するディスプレイに各多重伝送系の負荷のレイアウト地図とこのレイアウト地図上の負荷に対応したタッチスイッチからなる操作スイッチの位置とを表示する地図表示機能、ディスプレィに遠隔監視制御に対応する諸元データの設定の為の画面とこの画面上の適所に設定に必要なタッチスイッチからなる操作スイッチを画面上の適所に表示する設定画面表示機能を少なくとも有し、ローカル制御装置を介して何れかの多重伝送系から負荷状態を表示するための制御データを受け取った際には、ディスプレィで表示されているレイアウト地図上に負荷状態を表示し、負荷操作のための操作スイッチの操作データや諸元データの設定のための操作スイッチの操作データがあれば上位制御装置からローカル制御装置を介して多重伝送系の中央制御装置へ送信させることを特徴とする請求項１記載の遠隔監視制御システム。
【請求項３】
前記ソフトウェアは、ディスプレィ上で表示する画面の作画及び操作スイッチの機能を作成設定する作画用エディタ機能を有することを特徴とする請求項２記載の遠隔監視制御システム。
【発明の詳細な説明】
【技術分野】
【０００１】
本発明は、遠隔監視制御システムに関するものである。
【背景技術】
【０００２】
従来から、時分割多重伝送で負荷の制御及び監視を行なう遠隔監視制御システムがある。この遠隔監視制御システムは図１２に示すように中央制御装置１と、壁スイッチのような操作スイッチ４の操作監視を行なう複数の監視用端末器２と、照明負荷のような負荷５を制御する複数の制御用端末器３とを２線式の伝送線Ｌ１を介して接続して構成される。
【０００３】
このような遠隔監視制御システムでは、中央制御装置１から図１３（ａ）に示すような形式を有した伝送信号Ｖｓを送出することにより、各端末器４２，４３との間でデータを授受する。すなわち、伝送信号Ｖｓは、信号の送出開始を示すスタートパルスＳＴ、信号のモードを示すモードデータＭＤ、アドレスデータＡＤ、負荷を制御する制御データＣＤ、伝送誤りを検知するチェックサムデータＣＳ、返信データの返信待機期間を設定する返信信号期間ＷＴよりなる複極（±２４Ｖ）の時分割多重信号であり、パルス幅変調によってデータが伝送されるようになっている。
【０００４】
各端末器２，３では、それぞれ伝送線Ｌ１を介して受信した伝送信号Ｖｓにより伝送されたアドレスデータＡＤがあらかじめ設定されている自己のアドレスに一致すると、伝送信号Ｖｓから制御データＣＤを取り込むとともに、伝送信号Ｖｓの返信信号期間ＷＴにデータを電流モード信号（伝送線Ｌ１を適当な低インピーダンスを介して短絡することにより送出される信号）として返信する。
【０００５】
中央制御装置１から所望の端末器２，３にデータを伝送する場合には、モードデータＭＤを制御モードとし、端末器２，３のアドレスをアドレスデータＡＤとする伝送信号Ｖｓを送出し、この伝送信号Ｖｓを伝送線Ｌ１に送出すれば、アドレスデータＡＤに一致する端末器２，３が制御データＣＤを受け取り、制御データＣＤにパリティビットを付加した信号を返信信号期間ＷＴに返信する。中央制御装置１では送出した信号と返信信号期間ＷＴにおける受信信号との一致によって制御データＣＤが所望の端末器２，３に伝送されたことを確認する。監視用端末器２や制御用端末器３は受け取った制御データＣＤに従って制御動作を行う。
【０００６】
一方、中央制御装置１は常時はモードデータＭＤをダミーモード或いは常時ポーリングとしてダミー用のアドレス又は接続されている全端末器のアドレスに伝送信号Ｖｓを一定時間間隔で送出しており、端末器２，３が中央制御装置１に対して何らかの情報を伝送しようとするときには、ダミーモード或いはポーリング中の伝送信号ＶｓのスタートパルスＳＴに同期させて図１３（ｃ）のような割込信号Ｖｉを発生させる。このとき、端末器２，３は割込フラグを設定して中央制御装置１との以後の情報授受に備える。中央制御装置１では割込信号を受信すると、モードデータＭＤを割込ポーリングモードとし、且つアドレスデータＡＤの上位の半数のビット（アドレスデータＡＤを８ビットとすれば上位４ビット）を順次増加させながら伝送信号を送出する。割込信号Ｖｉを発生した端末器２，３では、割込ポーリングモードの伝送信号Ｖｓに含まれるアドレスデータＡＤの上位４ビットが自己のアドレスの上位４ビットに一致するときに、返信信号期間ＷＴにアドレスの下位の半数のビットを中央制御装置１に返信する。このように、中央制御装置１は割込信号Ｖｉを発生した端末器２，３を１６個ずつまとめて探すので、比較的短い時間で端末器２，３を発見することができる。中央制御装置１が割込信号を発生した端末器２，３のアドレスを獲得すると、モードデータＭＤを監視モードとし、獲得したアドレスデータＡＤを持つ伝送信号Ｖｓを伝送線Ｌ１に送出し、これに対して端末器２，３は伝送しようとする情報を返信信号期間ＷＴに返信するのである。最後に、中央制御装置１は割込信号を発生した端末器２，３に対して割込リセットを指示する信号を送出し、端末器２，３の割込フラグを解除する。以上のようにして、端末器２，３から中央制御装置１への情報伝送は、中央制御装置１から端末器２，３への４回の信号伝送（ダミーモード、割込ポーリングモード、監視モード、割込リセット）によって完了する。中央制御装置１が所望の端末器２，３の動作状態を知ろうとするときには、モードデータＭＤを監視データとした伝送信号を送出するだけでよい。
【０００７】
而して、中央制御装置１では、監視用端末器２に設けた操作スイッチ４が操作されると、監視用端末器２から返信された監視データに基づいて、操作スイッチ４との対応関係があらかじめ設定されている制御用端末器３に伝送する制御データＣＤを生成し、その制御データＣＤを含む伝送信号Ｖｓを伝送線Ｌ１に送出することによって、対応する制御用端末器３に制御データＣＤを伝送し、制御用端末器３により負荷５の動作を制御させる。
【０００８】
また、制御用端末器３は負荷５の動作状態を示す監視データを中央制御装置１へ返信させるようになっており、中央制御装置１はこの監視データに基づいて対応する監視用端末器２に対して操作スイッチ４に付設している動作モニタ用のＬＥＤ（図示せず）を点灯／消灯させる制御データＣＤを伝送し、この制御データＣＤを受け取った監視用端末器２では制御データに基づいて対応する操作スイッチ４に付設してある動作モニタ用のＬＥＤを点灯又は消灯させることにより、負荷５のオン状態又はオフ状態を表示する。
【０００９】
ところで、上述のような多重伝送系を複数構築し、複数の多重伝送系を上位システムに接続して、上位システムから各多重伝送系の監視、制御を行ったり、複数の多重伝送系を連動して動作させるような大規模システムでは、図１４に示すように、複数（図１４の例では３系統）の多重伝送系Ｎ１〜Ｎ３に、多重伝送系のインターフェース機能と、ローカルバスネットワークとのインターフェース機能とを具備したローカル制御装置（以下、ＬＩＵと称す。）６をそれぞれ設け、ローカルバスネットワークを制御するとともに、上位のホスト機器２０との間で通信を行うインターフェース機能を備えた上位制御装置（以下、ＮＣＵと称す。）１０と、各多重伝送系Ｎ１〜Ｎ３のＬＩＵ６とをローカルバスＬ２を介して接続してローカルバスネットワークを構築している（特許文献１参照）。なお、ＮＣＵ１０と各ＬＩＵ６との間ではＲＳ−４８５方式で通信を行っており、ＮＣＵ１０とホスト機器２０との間ではＲＳ−２３２Ｃ方式で通信を行っている。また、図中の３０は、各多重伝送系のＬＩＵ６とＮＣＵ１０に交流の動作電圧（例えばＡＣ２４Ｖ）を供給する電源ユニットである。
【００１０】
この従来システムでは、下位ネットワークを構成する多重伝送系Ｎ１〜Ｎ３に連動関係を持たせて、複数の多重伝送系Ｎ１〜Ｎ３に亘るパターン制御・グループ制御を可能としている。ＮＣＵ１０には多重伝送系Ｎ１〜Ｎ３の連動関係を示すデータが予め登録されており、例えば多重伝送系Ｎ２において何れかのグループのグループ制御が行われると、多重伝送系Ｎ１，Ｎ３においても連動関係が登録されているグループのグループ制御が行われる。
【特許文献１】特開２００４−２９５４３２号公報
【発明の開示】
【発明が解決しようとする課題】
【００１１】
ところで、特許文献１に記載されている従来システムでは、上述のような大規模システムの構築にホスト機器２０とＮＣＵ１０が必要であり、さらにホスト機器２０には多重伝送系の連動制御を行うためのソフトウェアを搭載しなければならず、導入コストが高くなることで普及が妨げられていた。そこで、ＮＣＵ１０の機能をソフトウェアで実現し、汎用のコンピュータ装置からなるホスト機器２０に当該ソフトウェアを搭載し、同じく汎用の通信インタフェースカードを介してＬＩＵ６と接続することでＮＣＵ１０を不要とすれば、導入コストを大幅に減少させることができると考えられる。
【００１２】
しかしながら、従来のＮＣＵ１０の機能をソフトウェアで実現した場合、不正にコピーされたソフトウェアを用いて簡単にシステムを構築することができるから、かかるソフトウェアの不正使用を防止する必要がある。ソフトウェアの不正使用を防止する方法としては、例えば、ソフトウェア自体にコピー防止機能を組み込んだり、ソフトウェアをコンピュータ装置にインストールする際にソフトウェアの供給元が発行したＩＤを入力させたり、あるいはコンピュータ装置にインストールした後にインターネットを介して供給元にアクセスさせて認証を行うことで同一の記録媒体から別のコンピュータ装置にインストールされたソフトウェアの実行を禁止するといった方法が採られている。
【００１３】
一方、ＮＣＵ１０の機能を備えたホスト機器２０には、デスクトップ型やノート型のパーソナルコンピュータを用いることもできるが、壁面などへの埋込配設が可能なコンピュータ装置（いわゆる「パネルコンピュータ」）を用いることがある。かかるパネルコンピュータは、壁面などに埋め込まれる部位にマウスやキーボードなどの入力デバイスを接続するための入力インタフェースが設けられており、上述のようにＩＤを入力する方法では施工作業に手間がかかるという問題があった。
【００１４】
本発明は上記事情に鑑みて為されたものであり、その目的は、ＩＤの入力といった手間をかけることなしに上位制御装置のソフトウェアが不正使用されることを防止できる遠隔監視制御システムを提供することにある。
【課題を解決するための手段】
【００１５】
請求項１の発明は、上記目的を達成するために、中央制御装置と、複数の監視用端末器及び制御用端末器とを一対の伝送線を介して接続し、中央制御装置から多重伝送信号を伝送して端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして中央制御装置へ返信させ、監視用端末器に対しては接続された操作スイッチの操作データを多重伝送信号に設けた返信待機期間中に監視データとして中央制御装置へ返信させる多重伝送系を複数構築した遠隔監視制御システムにおいて、伝送線を介して多重伝送信号で通信を行う多重伝送通信部と、多重伝送系とは異なるプロトコルで通信を行うネットワーク通信部とを備えたローカル制御装置を各多重伝送系に設けて、各多重伝送系のローカル制御装置を通信線を介して接続してネットワークを構築するとともに、通信線を介してローカル制御装置との間で通信を行う通信回路部を備えた上位制御装置を通信線に接続し、前記ローカル制御装置に、多重伝送通信部を用いて当該ローカル制御装置の属する多重伝送系の監視用端末器から中央制御装置へ送信される操作データを受信すると、受信した操作データをネットワーク通信部から上位制御装置へ送信させるとともに、ネットワーク通信部を用いて上位制御装置から送信された連動制御データを受信すると、受信した連動制御データを多重伝送信号に設けた返信待機期間中に監視データとして中央制御装置へ返信させる通信制御部を設けてなり、拡張スロットを有する汎用のコンピュータ装置と、前記通信回路部を有して拡張スロットに接続される通信用拡張カードと、コンピュータ装置において実行され、通信用拡張カードを介してローカル制御装置との間で操作データ及び連動制御データの送受信を行って複数の多重伝送系の負荷を連動制御する制御処理をコンピュータ装置に行わせるソフトウェアとで前記上位制御装置を構成し、当該ソフトウェアが、コンピュータ装置における実行過程において、通信用拡張カードが有する固有の識別記号と予めプログラムに書き込まれている識別記号とを照合し、両者が一致した場合にのみ起動処理を継続するとともに両者が一致しない場合には起動処理を中断する不正使用防止機能を有することを特徴とする。
【００１６】
この発明によれば、上位制御装置に搭載されるソフトウェアを起動する際、上位制御装置で使用する通信用拡張カードの識別記号と当該ソフトウェアが有する識別記号とを照合し、両者が一致しない限りはソフトウェアが正常に起動しないため、同一の記録媒体から不正にコピーされたソフトウェアが複数台のコンピュータ装置にインストールされて不正に使用されることを防止できる。しかも、不正使用防止のための認証作業が、ソフトウェア自体の不正使用防止機能によって自動的に行われるため、ＩＤ入力などの手間をかけずに簡単に行える。
【００１７】
請求項２の発明は、請求項１の発明において、前記ソフトウェアは、コンピュータ装置を構成するディスプレイに各多重伝送系の負荷のレイアウト地図とこのレイアウト地図上の負荷に対応したタッチスイッチからなる操作スイッチの位置とを表示する地図表示機能、ディスプレィに遠隔監視制御に対応する諸元データの設定の為の画面とこの画面上の適所に設定に必要なタッチスイッチからなる操作スイッチを画面上の適所に表示する設定画面表示機能を少なくとも有し、ローカル制御装置を介して何れかの多重伝送系から負荷状態を表示するための制御データを受け取った際には、ディスプレィで表示されているレイアウト地図上に負荷状態を表示し、負荷操作のための操作スイッチの操作データや諸元データの設定のための操作スイッチの操作データがあれば上位制御装置からローカル制御装置を介して多重伝送系の中央制御装置へ送信させることを特徴とする。
【００１８】
この発明によれば、上位制御装置において、コンピュータ装置を構成するディスプレイで負荷のレイアウトを表示し、操作スイッチをタッチスイッチで構成するため、複数のレイアウト地図を備えて切換表示することも簡単に行うことができ、また画面の作画データと操作スイッチの機能設定データを作成入力するだけで、容易にレイアウト地図等の表示画面の変更や操作スイッチの機能変更が行える。
【００１９】
請求項３の発明は、請求項２の発明において、前記ソフトウェアは、ディスプレィ上で表示する画面の作画及び操作スイッチの機能を作成設定する作画用エディタ機能を有することを特徴とする。
【００２０】
この発明によれば、上位制御装置において負荷のレイアウト地図や操作スイッチの機能を作成設定することができ、別途作画や機能設定用のソフトウェアを用意する必要が無く、システム構成が簡素化できるとともに導入コストの削減が図れる。
【発明の効果】
【００２１】
請求項１の発明によれば、上位制御装置に搭載されるソフトウェアを起動する際、上位制御装置で使用する通信用拡張カードの識別記号と当該ソフトウェアが有する識別記号とを照合し、両者が一致しない限りはソフトウェアが正常に起動しないため、同一の記録媒体から不正にコピーされたソフトウェアが複数台のコンピュータ装置にインストールされて不正に使用されることを防止でき、さらに、不正使用防止のための認証作業が、ソフトウェア自体の不正使用防止機能によって自動的に行われるため、ＩＤ入力などの手間をかけずに簡単に行えるという効果がある。
【発明を実施するための最良の形態】
【００２２】
図２に本実施形態の遠隔監視制御システムの概略構成図を示す。本システムでは複数（例えば３系統）の多重伝送系Ｎ１〜Ｎ３を構築してあり、各多重伝送系Ｎ１〜Ｎ３は、中央制御装置１と、壁スイッチのような操作スイッチ４の操作監視を行なう複数の監視用端末器２と、照明負荷のような負荷５を制御する複数の制御用端末器３と、多重伝送系のインターフェース機能及びローカルバスネットワークとのインターフェース機能を具備したＬＩＵ６とを２線式の伝送線Ｌ１を介して接続して構成される。また、ローカルバスネットワークを制御するとともに、各多重伝送系Ｎ１〜Ｎ３の負荷５の制御及び監視を行う上位制御装置３０と、各多重伝送系Ｎ１〜Ｎ３のＬＩＵ６とをローカルバス（通信線）Ｌ２を介して接続してローカルバスネットワークを構築している。
【００２３】
ＬＩＵ６は、図４に示すように、制御部（通信制御部）６ａと、伝送線Ｌ１を介して中央制御装置１との間で多重伝送通信を行う多重伝送送受信部（多重伝送通信部）６ｂと、例えばＲＳ−４８５に準拠した通信インターフェースからなりローカルバスＬ２を介して上位制御装置３０との間で通信を行う通信回路部（ネットワーク通信部）６ｃと、グループ制御／パターン制御の制御アドレスや負荷５の動作状態などを記憶するメモリ６ｄとで構成される。
【００２４】
上位制御装置３０は、拡張スロットを有する汎用のコンピュータ装置３１と、拡張スロットに接続される通信用拡張カード３２と、コンピュータ装置３１において実行され、通信用拡張カード３２を介してＬＩＵ６との間で操作データ及び連動制御データの送受信を行って複数の多重伝送系Ｎ１〜Ｎ３の負荷５を連動制御する制御処理をコンピュータ装置３１に行わせるソフトウェア（以下、「制御用ソフトウェア」と呼ぶ）とで構成される。コンピュータ装置３１は所謂パネルコンピュータであって、ＣＰＵ、メモリ、ハードディスク、液晶ディスプレイ３１ａ、液晶ディスプレイ３１ａに設けられるタッチパネル、ＰＣカード用の拡張スロット、入出力インタフェースなどを備え、オペレーティングシステムとしてマイクロソフト社製のウィンドウズ（登録商標）が搭載されている。通信用拡張カード３２は、図３に示すようにＰＣカードの規格に準拠したＲＳ−４８５の通信用インタフェースカードであって、コンピュータ装置３１の拡張スロット（ＰＣカードスロット）に差込接続されるカード本体３２ａと、カード本体３２ａと接続され、ＬＩＵ６の通信回路部６ｃに接続するコネクタ３２ｃが先端に設けられた通信ケーブル３２ｂとを備えており、この通信ケーブル３２ｂがローカルバスＬ２となる。尚、このような通信用インタフェースカードは従来周知であるから、詳細な構造についての説明は省略する。また制御用ソフトウェアは、オペレーティングシステム上で動作するアプリケーションソフトであってコンピュータ装置３１が具備するハードディスクにインストールされ、上位制御装置３０のハードウェア（コンピュータ装置３１並びに通信用拡張カード３２）を利用して後述する各種の処理を行わせるものである。
【００２５】
ここで、上位制御装置３０においては制御用ソフトウェアにより連動関係のテーブルデータを設定することが可能であって、設定されたテーブルデータをコンピュータ装置３１のハードディスクに保存している。図５（ａ）は多重伝送系Ｎ１…の連動関係の一例を示しており、図中の枠で囲った範囲ａ１〜ａ３が連動動作を行う連動範囲を示している。例えばａ１の連動範囲は、多重伝送系Ｎ１〜Ｎ３の何れかでグループ制御の制御アドレス（グループアドレス）Ｇ１の操作が発生すると、他の多重伝送系でもグループアドレスＧ１の制御が連動して行われることを示している。また、ａ２の連動範囲は、多重伝送系Ｎ２，Ｎ３のどちらか一方でグループアドレスＧ２の操作が発生すると、他方の多重伝送系でもグループアドレスＧ２の制御が連動して行われることを示し、ａ３の連動範囲は多重伝送系Ｎ１，Ｎ２のどちらか一方でグループアドレスＧ３の操作が発生すると、他方の多重伝送系でもグループアドレスＧ３の制御が連動して行われることを示している。なお、制御アドレスの単位で連動範囲を設定する際に、一部の多重伝送系で連動範囲の指定が重複するように連動範囲を設定しても良く、図５（ｂ）に示すようにグループアドレスＧ３について、多重伝送系Ｎ１，Ｎ２の組が連動するとともに、多重伝送系Ｎ２，Ｎ３の組が連動するように設定しても良い。
【００２６】
次に本システムの動作を以下に簡単に説明する。尚、各多重伝送系Ｎ１…の動作は従来技術で説明した多重伝送系Ｎ１…の動作と同様であるので、その説明は省略し、多重伝送系Ｎ１…の連動動作について説明を行う。ここで、上位制御装置３０には図５（ａ）に示すような連動関係が設定されているものとする。
【００２７】
例えば多重伝送系Ｎ２において、グループアドレスＧ１のグループ制御を行わせる操作スイッチ４が操作されると、この操作スイッチ４を監視する監視用端末器２が割込信号Ｖｉを発生する。中央制御装置１は、割込信号Ｖｉを発生した監視用端末器２から制御要求を監視データとして受け取り、割込信号Ｖｉを発生した監視用端末器２に対応する制御用端末器３へ制御データを伝送信号Ｖｓにより送出する。制御用端末器３は伝送信号Ｖｓを受信すると、伝送信号Ｖｓに含まれる制御データに基づいてグループＧ１の負荷５をオン又はオフするとともに、負荷５の動作状態を示す監視データを中央制御装置１へ返信させる。その後、中央制御装置１は、制御用端末器３から返送された監視データに基づいて対応する監視用端末器２へ、操作スイッチ４に付設している動作モニタ用のＬＥＤを点灯／消灯させる制御データを伝送し、この制御データを受け取った監視用端末器２では、制御データに基づいて操作スイッチ４に付設したＬＥＤを点灯又は消灯させることにより、負荷５のオン状態又はオフ状態を表示する。
【００２８】
ここで、多重伝送系Ｎ２のＬＩＵ６は、監視用端末器２から中央制御装置１に出力される制御要求を監視しており、多重伝送送受信部６ｂが監視用端末器２から中央制御装置１に返信されたグループ制御の制御要求を受信すると、制御部６ａは、多重伝送送受信部６ｂの受信した制御要求を通信回路部６ｃから上位制御装置３０へ送信させる。上述のように上位制御装置３０には、多重伝送系Ｎ１〜Ｎ３の相互の連動関係がグループ制御／パターン制御の制御アドレス毎に登録されており、通信用拡張カード３２を介して多重伝送系Ｎ２のＬＩＵ６から送信されたグループアドレスＧ１の制御要求を受け取ると、多重伝送系Ｎ２のグループアドレスＧ１に対して多重伝送系Ｎ１，Ｎ３のグループアドレスＧ１がそれぞれ連動するように設定されているので、上位制御装置３０のＣＰＵは、通信用拡張カード３２を介して多重伝送系Ｎ１，Ｎ３のＬＩＵ６に対してグループアドレスＧ１の連動制御データを送信する。連動関係が設定された多重伝送系Ｎ１，Ｎ３のＬＩＵ６では、上位制御装置３０から送信されたグループアドレスＧ１の連動制御データを通信回路部６ｃが受信すると、制御部６ａが、多重伝送送受信部６ｂを用いて伝送線Ｌ１に対し割込信号Ｖｉを送出する。中央制御装置１は、各端末器２，３と同様の伝送手順を経て、割込信号Ｖｉを発生したＬＩＵ６からグループ制御の連動制御データを監視データとして受け取り、対応する制御用端末器３へ連動制御データを伝送信号Ｖｓにより送出する。制御用端末器３は伝送信号Ｖｓを受信すると、伝送信号Ｖｓに含まれる連動制御データに基づいてグループアドレスＧ１の負荷５をグループ制御するとともに、負荷５の動作状態を示す監視データを中央制御装置１へ返信させる。そして、中央制御装置１は制御用端末器３から返送された監視データに基づいて対応する監視用端末器２に対して操作スイッチ４に付設したＬＥＤを点灯／消灯させる制御データを伝送し、この制御データを受け取った監視用端末器２では、制御データに基づいて操作スイッチ４に付設したＬＥＤを点灯又は消灯させることにより、負荷５のオン状態又はオフ状態を表示する。またＬＩＵ６では、多重伝送送受信部６ｂを用いて制御用端末器３から返信される監視データを監視しており、連動制御データに対する制御結果を受信すると、制御部６ａが、この制御結果を通信回路部６ｃから上位制御装置３０に返信させ、上位制御装置３０のメモリに負荷５の動作状態が記憶される。
【００２９】
次に、上位制御装置３０の動作をさらに詳しく説明する。但し、以下では制御用ソフトウェアを実行するＣＰＵを上位制御装置３０の動作主体として説明する。
【００３０】
図６は上位制御装置３０の液晶ディスプレイ３１ａにおける表示画面の操作フローを示しており、後述する起動処理が正常に完了して制御用ソフトウェアが起動すると、ＣＰＵは、ハードディスクに保存されているレイアウト地図のベースとなる作画データと、シンボル部品の作画データを読み出してレイアウト地図を液晶ディスプレイ３１ａに表示させる。つまりこの表示画面が地図表示画面イとなる。図７は地図表示画面イの一例を示しており、この画面では制御対象となる負荷のシンボルをその配置場所に対応して表示し、シンボル表示箇所に位置するタッチスイッチがその負荷を操作するための操作スイッチとなり、シンボル表示箇所が押されると、操作スイッチの操作信号がＣＰＵに取り込まれるようになっている。
【００３１】
またレイアウト地図の周囲には、画面切換や、その他画面操作等に対応する操作部のシンボル及びそのシンボル内に文字を表示し、夫々のシンボル表示箇所に位置するタッチスイッチを操作スイッチとし、負荷操作と同様にシンボル表示箇所が押されると操作信号が操作データがＣＰＵに取り込まれるようになっている。
【００３２】
ところで、ハードディスクには各多重伝送系Ｎ１〜Ｎ３毎に複数場所のレイアウト地図が保存されており、ＣＰＵは表示可能なレイアウト地図の一覧画面の作画データ及びシンボル部品作画データをハードディスクから読み出して地図一覧画面ロを液晶ディスプレイ３１ａに表示させることもできる。図８はこの地図一覧画面ロの一例を示しており、地図表示画面名称の位置に対応するタッチスイッチが対応レイアウト地図の表示を指定する操作スイッチとなる。
【００３３】
図７、図８の表示画面において、上部には表示画面の見出し、注意事項、及び現在時刻を表示する表示欄があり、また下部には図７の表示画面では地図表示のページ送りの操作部４４、地図一覧画面への切換のための操作部４１、無表示画面ハにするための終了操作部４２、更に後述する諸元データの設定操作のための設定一覧画面ニに切え換るための操作部４３を表示設定している。図８の表示画面では無表示画面ハにするための終了操作部４２、更に後述する諸元データの設定操作のための設定一覧画面ニに切え換るための操作部４３を表示設定している。
【００３４】
ここで図７或いは図８の表示画面イ、ロにおいて操作部４３を操作すると、ＣＰＵは液晶ディスプレイ３１ａの表示画面を図９の暗証番号設定画面ホを経て設定一覧画面ニに切り換える。図９の暗証番号設定画面ホは次の設定画面に移行する際に暗証番号を確認するための画面であり、テンキー４５を表示するようになっている。操作者が、テンキー４５の操作釦に対応する位置のタッチキーを押し操作して暗証番号を入力すると、ＣＰＵは入力暗証番号を暗証番号表示部４７に表示し、エンターキーＥＮＴが押し操作された時に予め設定されている暗証番号と入力暗証番号との比較を行い、一致している場合には次の設定一覧画面ニの表示に移行し、不一致の場合にはメッセージ欄４６に暗証番号が間違っている旨のメッセージを表示する。尚この暗証番号設定画面ホでは下部に地図一覧画面への切換のための操作部４１と、レイアウト地図の表示画面イに切り換えるための操作部４９とが表示される。
【００３５】
図１０は設定一覧画面ニの一例を示しており、この画面では設定できるデータを選択するための操作部４８1…が表示される。操作部４８1、４８2、４８3の表示位置のタッチキーが操作されると、ＣＰＵは多重伝送系Ｎ１〜Ｎ３に予め設定されている個別制御用、グループ制御用、パターン制御用の制御アドレスと操作スイッチの対応関係をテーブルデータとして設定するための個別設定用、グループ制御用、パターン制御用の画面ヘ、ト、チにそれぞれ切り換え、操作部４８4の表示位置のタッチキーが操作されると、ＣＰＵは多重伝送系Ｎ１〜Ｎ３に予め設定されているグループ制御用又はパターン制御用の制御アドレスに対する連動関係をテーブルデータとして設定するための連動設定用の画面リに切り換え、また操作部４８5の表示位置のタッチキーが操作されると、時刻設定表示のための表示画面ヌにＣＰＵは切り換え、操作部４８6の表示位置のタッチキーが操作されると、負荷の動作スケジュールの一覧画面ルに切り換える。
【００３６】
各設定画面ヘ〜ヌでは夫々の設定に対応したデータや、操作部が表示され、夫々の画面に対応した設定が行える。またスケジュール動作の一覧画面ルでは、各負荷の個別制御の例えば週間スケジュールや、グループ制御のスケジュールの設定、変更が行えるスケジュール設定画面ヲと、設定されているスケジュールを複写するためのスケジュール複写画面ワとを階層的に切り換えることができるようになっている。
【００３７】
また各設定画面ヘ〜ヌ及びスケジュール一覧画面ルでは設定一覧画面ニに切り換えるための操作部が夫々表示され、スケジュール設定画面ヲと、スケジュール複写画面ワとには上の階層の画面に戻るための操作部が表示される。このようにして上位制御装置３０の液晶ディスプレイ３１ａの表示画面と、夫々の表示画面に表示される操作スイッチや、操作部のタッチ操作とで、種々の情報の表示や、諸元データ（テーブルデータ）の設定変更、更に負荷５の操作が自在にできるのである。
【００３８】
次に、本発明の要旨である制御用ソフトウェアの起動時の動作について、図１のフローチャートを参照して詳細に説明する。
【００３９】
制御用ソフトウェアの起動処理が開始されると、ＣＰＵが拡張スロットに通信用拡張カード３２が接続されているか否かを検索し、接続されていなければ起動処理を中断して制御用ソフトウェアを終了する。一方、通信用拡張カード３２が拡張スロットに接続されていた場合、ＣＰＵは、さらに当該通信用拡張カード３２が有する固有の識別記号（ＩＤコード）を読み込み、通信用拡張カード３２のＩＤコードと予めプログラム（制御用ソフトウェア）に書き込まれている識別記号（ＩＤコード）とを照合して、両者が一致すればそのまま起動処理を続行し、両者が一致しなければ起動処理を中断して制御用ソフトウェアを終了する。
【００４０】
而して、上位制御装置３０に搭載される制御用ソフトウェアを起動する際、上位制御装置３０で使用する通信用拡張カード３２のＩＤコードと制御用ソフトウェアが有するＩＤコードとを照合し、両者が一致しない限りは制御用ソフトウェアが正常に起動しないため、同一の記録媒体（磁気ディスクやＣＤ−ＲＯＭなど）から不正にコピーされた制御用ソフトウェアが複数台のコンピュータ装置にインストールされて不正に使用されることを防止できるものである。しかも、不正使用防止のための認証作業が、制御用ソフトウェア自体の不正使用防止機能（上述のように起動時にＩＤコードを認証する機能）によって自動的に行われるため、ＩＤ入力などの手間をかけずに簡単に行えるという利点がある。
【００４１】
ところで上位制御装置３０の液晶ディスプレイ３１ａで表示される表示画面のベース画面の作画データや、シンボル部品の作画データ、操作部、操作スイッチの機能、アドレスの各データはハードディスクに格納され、このデータに基づいて制御用ソフトウェアを実行するＣＰＵが表示や、操作データの処理を行うのであるが、このハードディスクに格納する作画データや、操作部、操作スイッチの機能、アドレスのデータは上位制御装置３０を構成するコンピュータ装置３１でエディタプログラムを実行することにより設定、作成できる。
【００４２】
図１１はこのエディタプログラムの動作フローを示しており、このエディタプログラムがコンピュータ装置３１のＣＰＵで実行されると、先ず作成する件名のファイル名や、カラーモードの設定等の環境設定ルーチンに入り、この環境設定が終了すると、シンボル部品、ベース画面の変更、作成処理のための作画ルーチンに移行し、この作画ルーチンではベース画面や、シンボル部品を作画することができる。
【００４３】
この作画ルーチンの次は、表示画面で表示される操作スイッチや操作部の機能、アドレスを変更するための機能設定ルーチンとなり、この機能設定ルーチンでは地図一覧画面イで表示される操作部やスイッチが押されたときにどの画面に切り換えるかを設定する機能や、負荷の操作に係わる操作スイッチの機能、アドレスを割当て設定する等の機能がある。
【００４４】
以上のような各ルーチンを経て画面作成が終了すると、コンピュータ装置３１に内蔵するハードディスクに画面作成のデータを格納することができる。
【図面の簡単な説明】
【００４５】
【図１】本発明の実施形態における制御用ソフトウェアの起動時の処理を説明するフローチャートである。
【図２】同上のシステム構成図である。
【図３】同上の通信用拡張カードの外観図である。
【図４】同上のローカル制御装置のブロック図である。
【図５】（ａ）（ｂ）は同上の連動関係の設定を説明する図である。
【図６】同上の上位制御装置における液晶ディスプレイの画面操作のフローチャートである。
【図７】同上の上位制御装置における液晶ディスプレイの画面の説明図である。
【図８】同上の上位制御装置における液晶ディスプレイの画面の説明図である。
【図９】同上の上位制御装置における液晶ディスプレイの画面の説明図である。
【図１０】同上の上位制御装置における液晶ディスプレイの画面の説明図である。
【図１１】同上の上位制御装置における作画データのエディタプログラムのフローチャートである。
【図１２】従来の遠隔監視制御システムの概略構成図である。
【図１３】（ａ）〜（ｃ）は同上に用いる伝送信号の説明図である。
【図１４】従来の別の遠隔監視制御システムの概略構成図である。
【符号の説明】
【００４６】
１  中央制御装置
２  監視用端末器
３  制御用端末器
６  ローカル制御装置（ＬＩＵ）
３０  上位制御装置
３１  コンピュータ装置
３２  通信用拡張カード
【図１】
2006140837.tif 000003
【図２】
2006140837.tif 000004
【図３】
2006140837.tif 000005
【図４】
2006140837.tif 000006
【図５】
2006140837.tif 000007
【図６】
2006140837.tif 000008
【図７】
2006140837.tif 000009
【図８】
2006140837.tif 000010
【図９】
2006140837.tif 000011
【図１０】
2006140837.tif 000012
【図１１】
2006140837.tif 000013
【図１２】
2006140837.tif 000014
【図１３】
2006140837.tif 000015
【図１４】
2006140837.tif 000016